(57)【要約】【課題】  動画像を追加記録する場合の利便性を向上させることができる撮影装置を提供する。【解決手段】  動画像の撮影が終了すると撮影日時を取得して、追加記録モードかを判断し、追加記録モードの場合は記録メディアに動画像ファイルが存在するかを判断する（ステップ１００〜１０４）。記録メディアに動画像ファイルが存在する場合は、追加記録条件に対応する動画像ファイルが記録メディアに存在するかを検索し、追加記録条件に対応する動画像ファイルが存在する場合は、記録メディアに記録された追加記録すべき動画像ファイルに撮影された動画像を追加記録する（ステップ１０６、１０８）。追加記録モードでない場合、記録メディアに動画像ファイルが存在しない場合、追加記録条件に対応する動画像ファイルが記録メディアに存在しない場合は、新規に動画像ファイルを作成する（ステップ１１０）。【選択図】      図２
2005109658.tif 000002
【特許請求の範囲】
【請求項１】
被写体を動画像として撮影する撮影手段と、
撮影された動画像を動画ファイルとして記録媒体に記録する記録手段と、
撮影された動画像の追加記録条件を設定する設定手段と、
設定された追加記録条件に基づいて、撮影された動画像を追加記録すべき動画ファイルが前記記録媒体に存在するか否かを検索する検索手段と、
検索された追加記録すべき動画ファイルに、撮影された動画像を追加記録する追加記録手段と、
を備えた撮影装置。
【請求項２】
撮影日を取得する撮影日取得手段を備えると共に、前記追加記録条件が撮影日に関する条件を含むことを特徴とする請求項１記載の撮影装置。
【請求項３】
撮影場所を取得する撮影場所取得手段を備えると共に、前記追加記録条件が撮影場所に関する条件を含むことを特徴とする請求項１又は請求項２記載の撮影装置。
【請求項４】
前記追加記録すべき動画ファイルが存在しない場合に警告する警告手段をさらに備えたことを特徴とする請求項１乃至請求項３の何れか１項に記載の撮影装置。
【発明の詳細な説明】
【技術分野】
【０００１】
本発明は、撮影装置に係り、より詳しくは、撮影した動画像を動画ファイルとして記録することができる撮影装置に関する。
【背景技術】
【０００２】
従来より、静止画像の撮影だけでなく、動画像を撮影し、これを動画ファイルとして記録可能なデジタルカメラや、撮影した動画像をビデオテープ等の磁気記録媒体に記録する他、メモリーカード等の記録媒体に動画ファイルとして記録することができるデジタルビデオカメラ等の撮影装置が知られている。
【０００３】
このような撮影装置では、動画像を動画ファイルとして記録する場合、静止画像の場合と同様に、撮影終了する毎に新しいファイルが作成されてメモリーカード等の記録媒体に記録されるのが一般的であり、頻繁に撮影を繰り返すとファイル数が増大し、ファイル管理が煩雑になる等の問題があった。
【０００４】
このため、撮影した動画像を、既存の動画ファイルに追加記録することができるデジタルカメラが提案されている（例えば特許文献１参照）。
【特許文献１】特開２００２−２１８３８４号公報
【発明の開示】
【発明が解決しようとする課題】
【０００５】
しかしながら、特許文献１に記載されたデジタルカメラでは、追加記録するファイルをユーザーが手動で設定しなければならず、利便性がよいとは言えなかった。
【０００６】
本発明は、上記事実に鑑みて成されたものであり、動画像を追加記録する場合の利便性を向上させることができる撮影装置を提供することを目的とする。
【課題を解決するための手段】
【０００７】
上記目的を達成するために、請求項１記載の発明は、被写体を動画像として撮影する撮影手段と、撮影された動画像を動画ファイルとして  撮影された動画像を動画ファイルとして記録媒体に記録する記録手段と、撮影された動画像の追加記録条件を設定する設定手段と、設定された追加記録条件に基づいて、撮影された動画像を追加記録すべき動画ファイルが前記記録媒体に存在するか否かを検索する検索手段と、検索された追加記録すべき動画ファイルに、撮影された動画像を追加記録する追加記録手段と、を備えたことを特徴とする。
【０００８】
この発明によれば、撮影手段によって動画像として撮影された動画像は、記録手段によって動画像ファイルとして記録媒体に記録される。
【０００９】
そして、撮影された動画像を既存の動画像ファイルに追加記録したい場合、設定手段によって追加記録条件を設定することができる。
【００１０】
検索手段は、設定手段によって設定された追加記録条件に基づいて、撮影された動画像を追加記録すべき動画ファイルが記録媒体に存在するか否かを検索する。
【００１１】
例えば、追加記録条件には、請求項２に記載したように、撮影日に関する条件を含むことができる。この場合、例えば撮影日取得手段によって取得した撮影日が、追加記録条件の撮影日と一致する場合等に、その撮影日に撮影された動画像ファイルが記録媒体に記録されているか否かを検索する。
【００１２】
そして、追加記録すべき動画像ファイルが検索された場合、追加記録手段により、撮影された動画像を追加記録すべき動画像ファイルに追加記録する。これにより、同じ撮影日に撮影された動画像を１つの動画像ファイルにまとめて記録することができる。
【００１３】
このように、追加記録すべき動画像ファイルを自動的に検索して、撮影された動画像を追加記録するため、ユーザーが逐一追加記録すべき動画像ファイルを選択する必要がなく、動画像を追加記録する場合の利便性を大幅に向上させることができる。
【００１４】
また、請求項３に記載したように、追加記録条件が撮影場所に関する条件を含むようにしてもよい。この場合、例えば撮影場所取得手段によって取得された撮影場所が、追加記録条件の撮影場所と一致する場合等に、その撮影場所で撮影された動画像ファイルが記録媒体に記録されているか否かを検索すればよい。これにより、同じ撮影場所で撮影された動画像を１つの動画像ファイルにまとめて記録することができる。
【００１５】
また、請求項４に記載したように、前記追加記録すべき動画ファイルが存在しない場合に警告する警告手段をさらに備えた構成としてもよい。これにより、ユーザーは、追加記録条件に合致した追加記録すべき動画像ファイルが存在しないことを容易に認識することができる。
【発明の効果】
【００１６】
以上説明したように、本発明によれば、動画像を追加記録する場合の利便性を向上させることができる、という優れた効果を有する。
【発明を実施するための最良の形態】
【００１７】
（第１実施形態）
以下、図面を参照して本発明の実施形態の一例を詳細に説明する。なお、本実施形態では、デジタルスチルカメラに本発明を適用した場合について説明するが、デジタルビデオカメラや、カメラ付き携帯電話等の撮影機能を備えた携帯端末装置にも適用可能である。
【００１８】
図１に示すように、本実施形態に係るデジタルスチルカメラ（以下、デジタルカメラと称す）１０は、被写体像を結像させるためのレンズを含んで構成された光学ユニット１２と、光学ユニット１２の光軸後方に配設されたＣＣＤ（Charge Coupled Device）１３と、ＣＣＤ１３から出力されたアナログ信号の画像信号をデジタル信号に変換するＡ／Ｄコンバータ１４と、光学ユニット１２のレンズを駆動するレンズ駆動部及びＣＣＤ１３を駆動するＣＣＤ駆動部を含んで構成される駆動部１５と、デジタルカメラ１０の撮影によって得られた画像や各種情報を表示するためのＬＣＤ１６と、撮影者によって操作される操作部１８と、主としてＣＣＤ１３による撮影によって得られたデジタル画像データを一時的に記憶する主記憶装置としてのＳＤＲＡＭ（Synchronous Dynamic Random Access Memory）２０と、各種プログラム、パラメータなどが予め記憶されたＲＯＭ２２と、デジタルカメラ１０全体の動作を司る主制御部２４と、を備えて構成されている。なお、ＳＤＲＡＭ２０はメインメモリとして機能する。また、ＲＯＭ２２は、例えばフラッシュＲＯＭ等の電源をオフしても記憶内容を保持する不揮発性メモリで構成される。
【００１９】
操作部１８としては、静止画や動画撮影の実行を指示する際に操作されるシャッターボタン、静止画撮影モード、動画撮影モード、及び再生モードの何れかを選択するために操作される撮影モード選択手段としてのモード切替スイッチ、各種パラメータを設定したり、再生モード選択時には再生対象の画像を指定するために操作されるカーソルボタン、本デジタルカメラ１０の電源をＯＮ／ＯＦＦするために操作される電源スイッチなどが含まれる。
【００２０】
また、主制御部２４は、Ａ／Ｄコンバータ１４から入力されたデジタル信号に対して種々の処理を施す画像信号処理部３０と、撮影者による操作部１８の操作状況に応じて、デジタルカメラ１０の全体的な動作を制御するＣＰＵ３２と、駆動部１５及び操作部１８等との入出力制御を行う入出力ポート３４と、画像データを静止画像の処理に適した所定形式（例えばＪＰＥＧ形式）に従って圧縮・伸張し、符号化する静止画像処理部３６と、画像データを動画像の処理に適した所定形式（例えばＭＰＥＧ形式）に従って圧縮・伸張し、符号化する動画像処理部３７と、ＳＤＲＡＭ２０に対するデータの読み書きやＲＯＭ２２に対するデータの読み込みを制御するメモリコントローラ３８と、比較的小容量の内蔵ＲＡＭ４０と、ＤＭＡ（Direct Memory Access）転送を行うためのＤＭＡコントローラ（ＤＭＡＣ）４２と、デジタルカメラ１０とＵＳＢケーブルなどの所定のケーブルを介して接続されたパーソナルコンピュータやプリンタ等の外部機器と各種データの送受信を行うための外部通信制御部４４と、ＬＣＤ１６に画像を表示させるＬＣＤ信号処理部４６と、記録メディア５２に対して各種データの読み書きを制御するメディア制御部４８と、日時の情報を取得するためのタイマ４９がバス５０によって各々接続されて構成されている。
【００２１】
なお、本実施の形態では、主制御部２４は、１チップＬＳＩ（Large Scale Integrated circuit）として構成されており、これによってデジタルカメラ１０の小型化、高信頼性化、及び低コスト化が図られている。
【００２２】
光学ユニット１２は、図示しないズームレンズ群及びフォーカスレンズを有し、且つそれぞれを光軸方向に移動させるレンズ移動機構を備え、焦点距離の変更（変倍）が可能なズームレンズとして構成されている。
【００２３】
光学ユニット１２は、駆動部１５の制御により、所望のズーム倍率になるようにズームレンズ群が光軸方向に移動され（焦点距離可変レンズ）、レンズを通過した被写体像を示す入射光がＣＣＤ１３の受光面上に結像するように、フォーカスレンズが光軸方向に移動される（オートフォーカス（ＡＦ）機構）ようになっている。これにより、ＣＣＤ１３では、光学ユニット１２のレンズを通過した被写体像を示す入射光に基づき被写体を撮影して被写体像を示すアナログ画像信号を出力する。
【００２４】
なお、本実施の形態では、合焦制御として、撮影によって得られた画像のコントラストが最大となるようにレンズ位置を調整する、所謂ＴＴＬ（Through The Lens）方式を採用しており、撮影エリア内の予め定められた位置（ＡＦフレーム）に存在する被写体に焦点が合うように、自動的に合焦制御が行われるようになっている。具体的には、撮影者による操作部１８のモード切替スイッチの操作により、静止画を撮影するための静止画撮影モードが選択されている場合には、シャッターボタンが半押しされることによって、自動的に合焦制御が行われる。一方、動画を撮影するための動画撮影モードが選択されている場合には、シャッターボタンが全押しされて、撮影が開始された後、連続的に合焦制御が行われるようになっている。
【００２５】
ＣＣＤ１３の出力端は、Ａ／Ｄコンバータ１４と接続されている。すなわち、Ａ／Ｄコンバータ１４は、ＣＣＤ１３により撮影されて出力された被写体像を示すアナログ画像信号をデジタル画像データ（以下、「ＣＣＤデータ」という）に変換する。Ａ／Ｄコンバータ１４の出力端は、画像信号処理部３０と接続されており、ＣＣＤデータは、メモリコントローラ３８を介してＤＭＡ転送により一旦ＳＤＲＡＭ２０に格納される。
【００２６】
画像信号処理部３０は、一旦ＳＤＲＡＭ２０に格納されたＣＣＤデータをＤＭＡ転送により読み出し、撮影モード等に応じて必要サイズにするべくリサイズ処理を行う。また、例えば光源種に応じたデジタルゲインをかけることでホワイトバランス調整を行うと共に、ガンマ処理及びシャープネス処理等の各種画像処理を行う。そして、画像処理が施された画像データに対してＹＣ変換処理を行うことにより、Ｒ，Ｇ，Ｂのデジタル画像データから輝度データＹとクロマデータＣｒ、Ｃｂ（以下、「ＹＣデータ」という）を生成し、このＹＣデータは、メモリコントローラ３８を介して、ＳＤＲＡＭ２０に一旦格納される。
【００２７】
このＳＤＲＡＭ２０に格納されたＹＣデータは、メモリコントローラ３８を介して画像信号処理部３０によりＤＭＡ転送により読み出されて、静止画像処理部３６に入力される。静止画像処理部３６は、入力されたＹＣデータを例えばカラー静止画符号化の国際標準であるＪＰＥＧ方式により圧縮符号化する。静止画像処理部３６により圧縮された圧縮データは、メディア制御部４８を介して、ＤＭＡ転送により一旦ＳＤＲＡＭ２０に格納され、デジタルカメラ１０に装填された記録メディア５２に記録される。
【００２８】
なお、記録メディア５２としては、スマートメディア、ＰＣカード、マイクロドライブ、マルチメディアカード（ＭＭＣ）、磁気ディスク、光ディスク、光磁気ディスク、メモリスティックなどの種々の形態が可能であり、使用されるメディアに応じた信号処理手段とインターフェースが適用される。
【００２９】
また、ＳＤＲＡＭ２０に格納されたＹＣデータは、メモリコントローラ３８を介して画像信号処理部３０により読み出されて、ＬＣＤ信号処理部４６に入力される。
【００３０】
ＬＣＤ信号処理部４６は、図示しないビデオエンコーダを備えており、入力されたＹＣデータをＮＴＳＣ（National TV Standards Committee）信号に変換する。また、ＬＣＤ信号処理部４６は、ＬＣＤ１６と接続されており、変換したＮＴＳＣ信号をＬＣＤ１６に供給することで、ＬＣＤ１６に画像を表示させる。
【００３１】
また、ＣＣＤ１３から出力される画像信号に基づくＹＣデータが定期的に書き換えられ、そのＹＣデータから生成される映像信号がＬＣＤ１６に供給されることにより、ＣＣＤ１３がとらえる被写体像が略リアルタイムに動画像として、或いは連続した画像としてＬＣＤ１６に表示される。すなわち、ＬＣＤ１６は、電子ビューファインダとして利用でき、撮影者は、通常の光学ファインダ（図示省略）だけでなく、このＬＣＤ１６の表示画像（所謂スルー画像）によっても、撮影画角を確認することができる。そして、シャッタスイッチの押下操作など所定の記録指示（撮影指示）操作に呼応して、記録用のデジタル画像データの取り込みが開始される。
【００３２】
また、画像再生時には、メディア制御部４８により、記録メディア５２に記憶された再生対象とする圧縮データが読み出されて、静止画像処理部３６により伸長された後、ＬＣＤ信号処理部４６に転送される。これにより、撮影により取得し、記録メディア５２に記憶した圧縮データに基づく画像をＬＣＤ１６に再生表示することができる。
【００３３】
また、デジタルカメラ１０は、静止画撮影モードにより撮影された静止画像を記録メディア５２に記録することができる他、動画撮影モードにより撮影された動画像を記録メディア５２に記録することができる。
【００３４】
動画像は、例えばＱＶＧＡサイズ（３２０×２４０ピクセル）やＶＧＡサイズ（６４０×４８０ピクセル）等のように比較的小さなサイズで記録され、静止画像は、ＱＶＧＡサイズやＶＧＡサイズの他に、ＳＶＧＡサイズ（８００×６００ピクセル）、ＸＧＡサイズ（１０２４×７６８ピクセル）、ＳＸＧＡサイズ（１２８０×１０２４ピクセル）等の大きなサイズで記録することができる。
【００３５】
動画撮影モードでは、例えばＭＰＥＧ（Moving Picture coding Experts Group）方式や、モーションＪＰＥＧ方式によって動画像を圧縮符号化することができる。モーションＪＰＥＧ方式は、撮影画像を所定時間毎にＪＰＥＧ方式によって圧縮して記録し、この複数の静止画像を連続して再生することで動画表示を実現する方式である。モーションＪＰＥＧ方式では、動画撮影モードにおける１つ１つのフレーム画像の処理は、静止画撮影モードによる撮影の場合と同様であり、撮影時間に応じた複数の静止画像の画像データに基づいて動画像データが生成され、動画像ファイルとして記録メディア５２に記録される。
【００３６】
また、詳細は後述するが、動画撮影モードでは、撮影した動画像を新規ファイルとして記録する通常記録モードと、撮影した動画像を、既に記録メディア５２に記録されている動画像ファイルに追加記録する追加記録モードとを選択可能となっている。追加記録モードでは、ユーザーが予め設定した追加記録条件に対応する動画像ファイルを記録メディア５２に記録されている動画像ファイルから検索し、その動画像ファイルに追加記録する。これにより、ユーザーは、予め追加記録条件を設定しておけば、追加記録する動画像ファイルが自動的に選択され、撮影した動画像が選択された動画像ファイルに追加記録される。従って、ユーザーは、動画像を撮影する毎に、追加記録する動画像ファイルを逐一選択する必要がなく、利便性を大幅に向上させることができる。
【００３７】
次に、本実施の形態の作用として、動画撮影モードにおいて動画撮影が行われた場合の動画ファイルの作成について、図２に示すフローチャートを参照して説明する。なお、図２に示す処理ルーチンは、動画撮影モードにおいて、動画撮影が終了すると実行される。
【００３８】
まず、動画撮影をする前に、ユーザーは、動画撮影モードにおける記録モードを設定する。本実施の形態では、撮影した動画像を新規ファイルとして記録する通常記録モードと、撮影した動画像を、既に記録メディア５２に記録されている動画像ファイルに追加記録する追加記録モードとを選択可能である。
【００３９】
追加記録モードを設定した場合には、さらに、追加記録条件を設定する。追加記録条件とは、記録メディア５２に動画像ファイルが既に存在する場合に、どの動画像ファイルに追加記録するかを決定するための条件であり、この条件に合致した動画像ファイルが記録メディア５２に存在する場合に、その動画像ファイルに撮影した動画像データを追加記録する。本実施の形態では、追加記録条件として撮影日を指定した場合について説明する。撮影日の指定は、例えばその日１日を指定することができる。この場合、同じ日に撮影した動画像は、同一の動画像ファイルに逐次追加記録されることとなる。また、撮影日を期間で指定するようにしてもよい。この場合、例えば旅行期間中に撮影した動画像ファイルを１つの動画像ファイルにまとめて記録することが可能となる。さらに、時間帯を指定するようにしてもよい。
【００４０】
追加記録条件の設定は、例えば操作部１８により所定の操作をすることにより図示しない追加記録条件設定画面をＬＣＤ１６に表示させ、この追加記録条件設定画面に従って操作部１８を操作することにより行うことができる。
【００４１】
そして、ユーザーが動画撮影モードに設定し、シャッターボタンを押下することより動画撮影が開始され、再びシャッターボタンを押下することにより動画撮影が終了すると、図２に示す制御ルーチンがＣＰＵ３２により実行される。なお、撮影された動画像の動画像データは、例えば一時的にＳＤＲＡＭ２０に記憶される。
【００４２】
まず、ステップ１００では、タイマ４９により現在日時、すなわち撮影日時を取得し、次のステップ１０２では、記録モードが追加記録モードか否かが判断される。そして、記録モードが追加記録モードである場合には、ステップ１０２へ移行し、記録モードが追加記録モードでない場合、すなわち通常記録モードである場合には、ステップ１１０へ移行する。
【００４３】
ステップ１１０では、ＳＤＲＡＭ２０に一次記憶された動画像データ及び取得した撮影日時の情報等に基づいて新規に動画像ファイルを作成し、記録メディア５２に記録する。
【００４４】
図３には、動画像ファイルの構成の一例を示した。図３に示すように、動画像ファイルは、画像情報エリア及び画像データエリアから成り、画像情報エリアは、基本情報エリア及び動画像情報エリアで構成され、画像データエリアは、動画像データエリアから成る。
【００４５】
基本情報エリアには、例えば、動画像ファイルのファイル名や動画像ファイル全体のファイルサイズ等の動画像ファイルに関する情報や、カメラ名や感度等のそのカメラに関する情報等が格納される。カメラに関する情報は、例えばＲＯＭ２２に予め記憶されており、ＲＯＭ２２から読み出して基本情報エリアに格納すればよい。
【００４６】
動画像情報エリアには、撮影された各動画像の撮影状況等に関する情報が動画像情報として格納される。この動画像情報には、例えばステップ１００で取得した撮影日時の情報や、露出に関する情報、対応する動画像データの格納位置やデータサイズ等の動画像データのアクセスに必要な情報等が含まれる。動画像データエリアには、各動画像の動画像データが格納される。図３では、動画像をｎ回撮影し、逐次追加記録した場合における動画像ファイルの構成を示している。
【００４７】
動画像ファイルは、上記のような構成となっているため、新規に作成された動画像ファイルは、基本情報エリアと、１組の動画像情報エリア及び動画像データエリアとから構成される。
【００４８】
なお、図３では、画像情報エリア及び画像データエリアが連続して記録されているように記載しているが、必ずしも連続して記録されている必要はなく、動画像情報と動画像データエリアとが対応付けられていれあれば、図３に示すデータ構成に限られない。
【００４９】
ステップ１０４では、記録メディア５２に動画像ファイルが存在するか否かが判断される。そして、記録メディア５２に動画像ファイルが存在する場合にはステップ１０６へ移行し、記録メディア５２に動画像ファイルが存在しない場合には、ステップ１１０へ移行する。
【００５０】
次のステップ１０６では、取得した撮影日時、追加記録条件、及び記録メディア５２に記録された動画像ファイルの動画像情報に含まれる撮影日時の情報に基づいて、追加記録すべき動画像ファイルが記録メディア５２に存在するか否かを検索する。
【００５１】
具体的には、例えば追加記録条件が撮影日１日のみであった場合には、追加記録条件の撮影日と、取得した撮影日とを比較し、両者が同じ場合には、その撮影日と、記録メディア５２に記録されている動画像ファイルの各動画像情報の撮影日とを比較し、全て一致する動画像ファイルが存在するか否かを検索する。そして、追加記録条件の撮影日、取得した撮影日、各動画像情報の撮影日が全て一致する場合、その動画像ファイルを追加記録すべき動画像ファイルとして決定する。
【００５２】
また、追加記録条件として撮影日が期間で指定された場合には、追加記録条件の撮影日の期間に、取得した撮影日が含まれるか否かを判断し、前記期間に取得した撮影日が含まれる場合には、前記期間と、記録メディア５２に記録されている動画像ファイルの各動画像情報の撮影日とを比較し、各動画像情報の撮影日が前記期間に全て含まれる動画像ファイルが存在するか否かを検索する。そして、追加記録条件の撮影日の期間に、取得した撮影日及び各動画像情報の撮影日が全て含まれる場合、その動画像ファイルを追加記録すべき動画像ファイルとして決定する。
【００５３】
上記のような判断によって、追加記録すべき動画像ファイルが記録メディア５２に存在すると判断された場合はステップ１０８へ移行し、存在しないと判断された場合は、ステップ１１０へ移行して新規ファイルを作成する。
【００５４】
ステップ１０８では、ステップ１０６で検索した追加記録すべき動画像ファイルに、ＳＤＲＡＭ２０に一次記憶された動画像データを追加記録する。すなわち、動画像データを画像データエリアの最後に追加すると共に、取得した撮影日時の情報や露出に関する情報等から動画像情報を生成して、画像情報エリアの最後に追加する。
【００５５】
このように、追加記録モードが設定されている場合、追加記録条件に合致した動画像ファイルが記録メディア５２に存在するか否かを自動的に検索し、追加記録条件に合致した動画像ファイルが存在する場合には、その動画像ファイルに撮影した動画像データを追加記録するので、ユーザーが追加記録するファイルを逐一設定する必要はなく、動画像を追加記録する場合の利便性を大幅に向上させることができる。
【００５６】
なお、ステップ１０４及びステップ１０６の判断が否定された場合、追加記録モードが設定されているにも拘わらず、追加記録すべき動画像ファイルが存在しないこととなるため、ＬＣＤ１６に警告メッセージを表示する等して警告するようにしてもよい。これにより、ユーザーは、追加記録すべき動画像ファイルが存在しないことを容易に認識することができる。
【００５７】
（第２実施形態）
次に、本発明の第２実施形態について説明する。なお、第１実施形態と同一部分には同一符号を付し、その詳細な説明は省略する。
【００５８】
図５には、本実施形態に係るデジタルカメラ６０を示した。図５に示すデジタルカメラ６０が図１に示すデジタルカメラ１０と異なる点は、ＧＰＳ受信部６２を備えた点のみであり、他の構成は同一であるため、説明は省略する。
【００５９】
ＧＰＳ受信部６２は、ＧＰＳ（Global Posisioning System）衛星からのＧＰＳ信号を受信して、緯度・経度による現在位置を算出する。このように、デジタルカメラ６０では、現在位置、すなわち撮影場所を取得することができる。
【００６０】
動画像ファイルの構成は、第１実施形態で説明したように、図３に示すような構成であるが、撮影場所の情報、例えば緯度・経度の情報を動画像情報エリアに格納する点が異なる。
【００６１】
また、追加記録条件の設定では、撮影場所を指定することができる。これにより、同じ撮影場所で撮影した動画像を１つのファイルにまとめて記録することができ、利便性を向上させることができる。
【００６２】
この場合、追加記録条件設定画面では、例えばテーマパーク、公園等のその場所の名称と緯度・経度との対応関係を表すルックアップテーブルや、緯度・経度と住所との対応関係を表すルックアップテーブルを予めＲＯＭ２２等に記憶しておき、撮影場所の名称や住所等の、その緯度・経度を代表する代表名を指定する。このように、ルックアップテーブルを予めＲＯＭ２２等に記憶しておくことにより、ユーザーは追加記録条件としての撮影場所を容易に設定することができる。なお、緯度・経度を直接指定するようにしてもよい。また、撮影場所の設定は、複数箇所設定できるようにしてもよいし、例えば県単位や市町村単位等、予め定められた範囲で設定できるようにしてもよい。
【００６３】
次に、本実施の形態の作用として、動画撮影モードにおいて動画撮影が行われた場合の動画ファイルの作成について、図５に示すフローチャートを参照して説明する。
【００６４】
まず、ステップ１００では、図２に示す処理ルーチンと同様に撮影日時をタイマ４９により取得し、次のステップ１０１では、ＧＰＳ受信部６２から撮影場所の情報である緯度・経度の情報を取得し、ＲＯＭ２２に記憶されたルックアップテーブルから、例えば撮影場所の名称を取得する。
【００６５】
次のステップ１０２では、図２に示す処理ルーチンと同様に追加記録モードか否かを判断し、追加記録モードの場合はステップ１０４で記録メディア５２に動画像ファイルが存在するか否かを判断し、動画像ファイルが存在する場合はステップ１０６へ移行する。
【００６６】
ステップ１０２、１０４の判断で否定された場合、すなわち、追加記録モードでない場合や、追加記録モードであるが、記録メディア５２に動画像ファイルが存在しない場合には、ステップ１１０へ移行し、新規に動画像ファイルを作成する。このとき、動画像情報エリアに、ステップ１００で取得した撮影日時の情報の他、ステップ１０１で取得した撮影場所の情報も格納する。
【００６７】
ステップ１０６では、取得した撮影場所、追加記録条件、及び記録メディア５２に記録された動画像ファイルの動画像情報に含まれる撮影場所の情報に基づいて、追加記録すべき動画像ファイルが記録メディア５２に存在するか否かを検索する。
【００６８】
具体的には、例えば追加記録条件が撮影場所１カ所のみであった場合には、追加記録条件の撮影場所の名称と、取得した撮影場所の名称とを比較し、両者が同じ場合には、その場所と、記録メディア５２に記録されている動画像ファイルの各動画像情報の撮影場所とを比較し、全て一致する動画像ファイルが存在するか否かを検索する。そして、追加記録条件の撮影場所、取得した撮影場所、各動画像情報の撮影場所が全て一致する場合、その動画像ファイルを追加記録すべき動画像ファイルとして決定する。
【００６９】
また、追加記録条件として撮影場所が複数指定された場合には、追加記録条件の複数の撮影場所の中に、取得した撮影場所が含まれるか否かを判断し、追加記録条件で設定された複数の撮影場所の中に取得した撮影場所が含まれる場合には、追加記録条件で設定された複数の撮影場所と、記録メディア５２に記録されている動画像ファイルの各動画像情報の撮影場所とを比較し、各動画像情報の撮影場所が追加記録条件で設定された複数の撮影場所に全て含まれる動画像ファイルが存在するか否かを検索する。そして、追加記録条件で設定された複数の撮影場所に、取得した撮影場所、各動画像情報の撮影場所が全て含まれる場合、その動画像ファイルを追加記録すべき動画像ファイルとして決定する。
【００７０】
上記のような判断によって、追加記録すべき動画像ファイルが記録メディア５２に存在すると判断された場合はステップ１０８へ移行し、存在しないと判断された場合は、ステップ１１０へ移行して新規ファイルを作成する。
【００７１】
ステップ１０８では、ステップ１０６で検索した追加記録すべき動画像ファイルに、ＳＤＲＡＭ２０に一次記憶された動画像データを追加記録する。すなわち、動画像データを画像データエリアの最後に追加すると共に、取得した撮影日時の情報や取得した撮影場所の情報、露出に関する情報等から動画像情報を生成して、画像情報エリアの最後に追加する。
【００７２】
このように、追加記録モードが設定されている場合、追加記録条件に合致した動画像ファイルが記録メディア５２に存在するか否かを自動的に検索し、追加記録条件に合致した動画像ファイルが存在する場合には、その動画像ファイルに撮影した動画像データを追加記録するので、ユーザーが追加記録するファイルを逐一設定する必要はなく、動画像を追加記録する場合の利便性を大幅に向上させることができる。
【００７３】
なお、本実施形態では、撮影場所の情報を取得するのにＧＰＳ信号を受信して現在位置を取得する場合について説明したが、例えばカメラ付き携帯電話等で現在位置を取得するサービスの提供を受けられる場合等においては、外部から通信によって現在位置を取得するようにしてもよい。
【００７４】
また、上記実施形態では、追加記録条件として撮影日又は撮影場所を設定する場合について説明したが、撮影日及び撮影場所の両方を追加記録条件として設定するようにしてもよいし、撮影日や撮影場所に限らず、動画像を撮影するときの撮影条件、例えば露出条件等の他の条件で追加記録条件を設定するようにしてもよい。
【００７５】
また、動画像ファイルを撮影日や撮影場所等と共に一覧表示し、追加記録する動画像ファイルを選択させるようにしてもよい。
【図面の簡単な説明】
【００７６】
【図１】第１実施形態に係るデジタルカメラのブロック図である。
【図２】第１実施形態に係る動画撮影モードの追加記録モードにおいて実行される処理ルーチンのフローチャートである。
【図３】動画像ファイルのファイル構成を示す図である。
【図４】第２実施形態に係るデジタルカメラのブロック図である。
【図５】第２実施形態に係る動画撮影モードの追加記録モードにおいて実行される処理ルーチンのフローチャートである。
【符号の説明】
【００７７】
１０、６０  デジタルカメラ
１２  光学ユニット
１３  ＣＣＤ（撮影手段）
１４  Ａ／Ｄコンバータ
１５  駆動部
１６  ＬＣＤ
１８  操作部（設定手段）
２０  ＳＤＲＡＭ
２２  ＲＯＭ
２４  主制御部
３０  画像信号処理部
３２  ＣＰＵ（検索手段）
３４  入出力ポート
３６  静止画像処理部
３７  動画像処理部
３８  メモリコントローラ
４０  内蔵ＲＡＭ
４２  ＤＭＡＣ
４４  外部通信制御部
４６  ＬＣＤ信号処理部
４８  メディア制御部（記録手段、追加記録手段）
４９  タイマ（撮影日取得手段）
５０  バス
５２  記録メディア
６２  ＧＰＳ受信部（撮影場所取得手段）
【図１】
2005109658.tif 000003
【図２】
2005109658.tif 000004
【図３】
2005109658.tif 000005
【図４】
2005109658.tif 000006
【図５】
2005109658.tif 000007